(57)【要約】      （修正有）【課題】刷版の端部を、版胴の外へ押し出す方向に対して交差する方向から把持することができる印刷機における版把持装置を提供する。【解決手段】版把持装置３０は、固定把持体３１に可動把持体３６及びカムシャフト３５が支持されて構成されている。可動把持体３６の基端に固定された支軸３７が、固定把持体３１の側面に穿設された長孔３４ａに挿通支持されることにより、可動把持体３６が固定把持体３１に取付支持されている。前記長孔３４ａは、前記固定面３２ａを形成する面に対し直交する方向へ延びている。そして、カムシャフト３５が正回転すると、可動把持体３６は、支軸３７を中心に回動した後、長孔３４ａの延びる方向に沿って移動して把持面３６ｃと固定面３２ａとにより刷版１４の終端部１４ｂを把持する。【選択図】図５
2005088433.tif 000002
【特許請求の範囲】
【請求項１】
版胴に刷版を巻装し、前記版胴を回転させながら印刷を行うようにした印刷機において、前記刷版の端部をくわえるために版胴に設けられる版把持装置であって、
前記版胴に設けられ、固定面を備えた固定把持体と、
前記固定把持体に設けられ、把持面を備えた可動把持体であり、前記固定面と前記把持面とより刷版の端部を把持する把持位置及び固定面と把持面との間に刷版の端部を挿入可能とする基準位置の二位置に配置可能な可動把持体と、
前記固定把持体に支持されたカムシャフトと
より構成され、前記固定把持体には、前記固定面に対し直交方向に延びる長孔が穿設されているとともに、同長孔に、前記可動把持体の基端側に固定された支軸が挿通支持され、前記可動把持体は、先端側に前記把持面を備えるとともに、基端側に前記把持面と相反する方向へ延びる摺接部を備え、可動把持体の側面にカムシャフトが摺接することによる支軸を中心とした可動把持体の回動及び前記摺接部にカムシャフトが摺接することによる長孔の延びる方向に沿った可動把持体の移動により同可動把持体は前記基準位置から把持位置へ移動可能に構成されていることを特徴とする印刷機における版把持装置。
【請求項２】
前記カムシャフトには、可動把持体の側面に摺接する第１平面部と、前記摺接部に摺接する第２平面部とが設けられ、第１平面部と第２平面部とが互いに異なる平面上に形成されていることを特徴とする請求項１に記載の印刷機における版把持装置。
【請求項３】
前記固定把持体には、前記把持面が固定面から離れる方向へ可動把持体が回動するように同可動把持体を押圧する第１押圧部材と、前記把持面が固定面から離れる方向へ可動把持体が移動するように同可動把持体を押圧する第２押圧部材とが設けられていることを特徴とする請求項１又は請求項２に記載の印刷機における版把持装置。
【請求項４】
前記固定把持体には、前記可動把持体の回動を規制する規制部材が設けられていることを特徴とする請求項１〜請求項３のいずれか一項に記載の印刷機における版把持装置。
【発明の詳細な説明】
【技術分野】
【０００１】
本発明は、印刷機の一種であるオフセット印刷機において、刷版の端部を版胴の所定位置に固定するための印刷機における版把持装置に関する。
【背景技術】
【０００２】
一般に、印刷機の一種であるオフセット印刷機は、版胴と、ゴム胴と、圧胴を備えている。そして、版胴に巻装された刷版に、水及びインキが付着された後、インキがゴム胴に転写され、そのゴム胴と圧胴との間を通過する紙に印刷が行われる。
【０００３】
上記版胴に刷版を巻装するために、版胴には、版把持装置が設けられている（例えば、特許文献１参照。）。図６に示すように、版胴９０の外周の一部には胴溝９０ａが切り欠き形成され、その胴溝９０ａ内には、刷版９１の巻装方向の一端部（始端部）を固定するためのくわえ側版万力９２と、巻装方向の他端部（終端部）を固定するためのくわえ尻側版万力９３と設置されている。前記くわえ側版万力９２はくわえ側下歯９２ａと、くわえ側上歯９２ｂにより構成されている。前記くわえ側上歯９２ｂは、ピン（図示せず）により回動可能にくわえ側下歯９２ａに設けられ、くわえ側カムシャフト９５の回動により、傾動するようになっている。
【０００４】
前記くわえ尻側版万力９３はくわえ尻側下歯９３ａと、くわえ尻側上歯９３ｂとより構成され、略Ｌ字状をなす前記くわえ尻側上歯９３ｂは、ピン９６により回動可能に設けられている。また、くわえ尻側上歯９３ｂの先端部には上歯面９３ｍが設けられ、前記くわえ尻側上歯９３ｂはくわえ尻側カムシャフト（図示せず）の回動により、傾動するようになっている。
【０００５】
そして、前記くわえ側カムシャフト９５の回動によりくわえ側上歯９２ｂが傾動し、刷版９１の一端部（始端部）が、くわえ側上歯９２ｂとくわえ側下歯９２ａとの間に挟み込まれ、くわえ側版万力９２に固定される。さらに、版胴９０が回転した後、くわえ尻側カムシャフトの回動によりくわえ尻側上歯９３ｂが傾動し、刷版９１の他端部（終端部）が、上歯面９３ｍとくわえ尻側下歯９３ａとの間に挟み込まれ、くわえ尻側版万力９３に固定される。その結果、刷版９１が版胴９０の外周面に巻装される。
【特許文献１】特開平１１−２０１３１号公報
【発明の開示】
【発明が解決しようとする課題】
【０００６】
ところが、上記版把持装置において、刷版９１の他端部（終端部）を版胴９０に固定するための動作は、くわえ尻側上歯９３ｂの傾動のみである。そのため、刷版９１の他端部（終端部）は、その斜め上方から被さるように移動した上歯面９３ｍが、くわえ尻側下歯９３ａに押さえ付けられることによって版胴９０に固定される。その結果、刷版９１の他端部が、上歯面９３ｍにより、くわえ尻側上歯９３ｂの傾動方向（図６では斜め外方）へ押し出され、版胴９０内から外へ向かって押し出されながらくわえ尻側版万力９３に固定される虞があるという問題があった。
【０００７】
本発明は、このような従来の技術に存在する問題点に着目してなされたものである。その目的とするところは、刷版の端部を、版胴の外へ押し出す方向に対して交差する方向から把持することができる印刷機における版把持装置を提供することにある。
【課題を解決するための手段】
【０００８】
上記問題点を解決するために、請求項１に記載の発明は、版胴に刷版を巻装し、前記版胴を回転させながら印刷を行うようにした印刷機において、前記刷版の端部をくわえるために版胴に設けられる版把持装置であって、前記版胴に設けられ、固定面を備えた固定把持体と、前記固定把持体に設けられ、把持面を備えた可動把持体であり、前記固定面と前記把持面とより刷版の端部を把持する把持位置及び固定面と把持面との間に刷版の端部を挿入可能とする基準位置の二位置に配置可能な可動把持体と、前記固定把持体に支持されたカムシャフトとより構成され、前記固定把持体には、前記固定面に対し直交方向に延びる長孔が穿設されているとともに、同長孔に、前記可動把持体の基端側に固定された支軸が挿通支持され、前記可動把持体は、先端側に前記把持面を備えるとともに、基端側に前記把持面と相反する方向へ延びる摺接部を備え、可動把持体の側面にカムシャフトが摺接することによる支軸を中心とした可動把持体の回動及び前記摺接部にカムシャフトが摺接することによる長孔の延びる方向に沿った可動把持体の移動により同可動把持体は前記基準位置から把持位置へ移動可能に構成されていることを要旨とする。
【０００９】
請求項２に記載の発明は、請求項１に記載の印刷機における版把持装置において、前記カムシャフトには、可動把持体の側面に摺接する第１平面部と、前記摺接部に摺接する第２平面部とが設けられ、第１平面部と第２平面部とが互いに異なる平面上に形成されていることを要旨とする。
【００１０】
請求項３に記載の発明は、請求項１又は請求項２に記載の印刷機における版把持装置において、前記固定把持体には、前記把持面が固定面から離れる方向へ可動把持体が回動するように同可動把持体を押圧する第１押圧部材と、前記把持面が固定面から離れる方向へ可動把持体が移動するように同可動把持体を押圧する第２押圧部材とが設けられていることを要旨とする。
【００１１】
請求項４に記載の発明は、請求項１〜請求項３のいずれか一項に記載の印刷機における版把持装置において、前記固定把持体には、前記可動把持体の回動を規制する規制部材が設けられていることを要旨とする。
【００１２】
（作用）
請求項１に記載の発明によれば、基準位置に配置された可動把持体の側面にカムシャフトを摺接させる構成としたため、同可動把持体は長孔内の一端側で支軸を中心として回動し、把持面が固定面に対して平行となるまで回動する。その後、摺接部にカムシャフトを摺接させる構成としたため、同可動把持体の基端側が固定把持体側へ押圧されて可動把持体が長孔の延びる方向に沿って案内され、同長孔の一端側から他端側に向かって移動する。従って、可動把持体が回動する方向に対して交差する方向へ把持面が移動して、把持面と固定面との間に刷版の端部が把持される。
【００１３】
請求項２に記載の発明によれば、請求項１に記載の発明の作用に加え、カムシャフトに第１平面部及び第２平面部を設け、両平面部を異なる平面上に位置するように構成した。そのため、第１平面部と第２平面部が可動把持体に摺接するタイミングをずらすことができ、可動把持体を回動させるべく第１平面部が可動把持体の側面に摺接する動作と、可動把持体を長孔の延びる方向に沿って移動させるべく第２平面部が摺接部に摺接する動作とを別々に行うことが可能となる。
【００１４】
請求項３に記載の発明によれば、請求項１又は請求項２に記載の発明の作用に加え、刷版の端部を開放するためにカムシャフトを回転させたとき、把持面が固定面から離れる方向へ可動把持体が移動するように、第２押圧部材により押圧することができる。さらに、把持面が、固定面から離れる方向へ可動把持体が移動するように、第１押圧部材により押圧することができる。
【００１５】
請求項４に記載の発明によれば、請求項１〜請求項３のいずれか一項に記載の発明の作用に加え、基準位置にある可動把持体が固定把持体側へ回動したとき、同可動把持体と規制部材との当接により、可動把持体の一定以上の回動が規制される。そのため、把持面が固定面に対して平行となる状態が維持される。
【発明の効果】
【００１６】
本発明によれば、刷版の端部を、版胴の外へ押し出す方向に対して交差する方向から把持することができる印刷機における版把持装置を提供することができる。
【発明を実施するための最良の形態】
【００１７】
以下、本発明を具体化した印刷機における版把持装置の一実施形態を図１〜図５にしたがって説明する。
図１に示すように、印刷機１１のハウジング１２内には、円柱状をなす版胴１３が回転可能に配置され、この版胴１３の外周には、図１に２点鎖線に示す刷版１４が取外し可能に巻装される。ハウジング１２内において、版胴１３の近傍には、同版胴１３に巻装された刷版１４に水分を供給するための水分供給装置（図示せず）が配置されている。また、版胴１３の上方には、多数本のローラ１５を備えたインキ装置１６が配置され、このインキ装置１６は、前記水分供給装置によって水分が付着された刷版１４の表面にインキを供給するためのものである。
【００１８】
版胴１３の下方には、ゴムブランケット（図示せず）が巻き付けられた円筒状のゴム胴１７が回転可能に配置されている。さらに、ゴム胴１７の下方には円筒状の圧胴１８が回転可能に配置されている。そして、印刷機１１の作動時には、版胴１３の外周の刷版１４が水分供給装置のローラ及びインキ装置１６のローラ１５と接して回転する。版胴１３に付着された水分及びインキはゴム胴１７のゴムブランケットに転写される。一方、図示しない給紙装置から印刷用紙１９が圧胴１８に向けて送られる。この印刷用紙１９は、圧胴１８に保持された状態で一回転しながらゴムブランケットと接触する。この接触により、ゴムブランケット上のインキが印刷用紙１９に印刷される。
【００１９】
次に、印刷機１１における始端側把持機構２０について説明する。上記版胴１３の周面の一部は、同版胴１３の軸方向に切り欠かれて胴溝１３ａが凹設され、この胴溝１３ａ内に、版胴１３に対する刷版１４の巻装方向における一端部である始端部１４ａをくわえるための始端側把持機構２０が設けられている。この始端側把持機構２０は、版胴１３内に固定された始端側万力台２１とくわえ板２２とより構成されている。前記始端側万力台２１は版胴１３の軸方向に沿って延びるように設けられ、くわえ板２２は始端側万力台２１に連結されている。カム２３の回動によりくわえ板２２は傾動し、この傾動により始端側万力台２１とくわえ板２２との間隔が広げられたり狭められたりする。そして、版胴１３への刷版１４の巻装時には、刷版１４の始端部１４ａが版胴１３に向かって導入されると、同始端部１４ａが始端側万力台２１とくわえ板２２との間に挟み込まれ、始端側把持機構２０によって始端部１４ａが版胴１３に固定される。
【００２０】
前記胴溝１３ａ内において、前記始端側把持機構２０に相対向する位置には、複数の版把持装置３０が設けられ、同版把持装置３０はそれぞれ刷版１４の巻装方向における他端部である終端部１４ｂをくわえるために設けられている。図２に示すように、版把持装置３０を構成する固定把持体３１は、版胴１３の軸方向へ略四角柱状に延びる終端側万力台３２を備えるとともに、終端側万力台３２の基端側面から複数箇所に突設された軸受け３３を備え、側面視略Ｕ字状に形成されている。なお、図３（ａ）、（ｂ）に示すように、前記終端側万力台３２には平面状をなす固定面３２ａが形成されている。また、終端側万力台３２には第１押圧部材Ｐ１が収容されている。この第１押圧部材Ｐ１は、頭部と軸部とよりなり、頭部側が終端側万力台３２の側面から外方へ突出するように終端側万力台３２内に収容され、さらに、軸部には巻バネＳが巻装されている。そして、前記巻バネＳにより、頭部が終端側万力台３２内から突出するように付勢されている。さらに、前記終端側万力台３２において、前記第１押圧部材Ｐ１よりも、固定把持体３１の底側には、円柱状をなす規制部材３２ｄが設けられ、同規制部材３２ｄは終端側万力台３２の側面から一定長さだけ突出している。加えて、終端側万力台３２の内底面には、巻バネよりなる第２押圧部材Ｐ２が収容されている。
【００２１】
図２に示すように、前記複数の軸受け３３には、版把持装置３０を構成するカムシャフト３５が回転可能に支持され、同カムシャフト３５は、図示しない駆動機構により正逆両方向へ回転可能に構成されている。図３（ａ）に破線に示すように、このカムシャフト３５の軸方向における中央部には、平面状をなす第１平面部３５ａがカムシャフト３５の軸方向へ延びるように形成され、同第１平面部３５ａの幅方向への長さは、カムシャフト３５の直径より短くなっている。また、カムシャフト３５の軸方向における両側部であり、前記第１平面部３５ａの両側には、平面状をなす第２平面部３５ｂがカムシャフト３５の軸方向へ延びるように形成されている。この第２平面部３５ｂの幅方向への長さは、カムシャフト３５の直径より短くなっている。前記第１平面部３５ａを形成する面と、第２平面部３５ｂを形成する面とは、同一平面上に位置せず、互いに交差している。図３（ｂ）に示すように、終端側万力台３２の両側の軸受け３３の外側面には、それぞれＬ字状をなす取付板３４が固定され、各取付板３４にはそれぞれ長孔３４ａが穿設されている。各長孔３４ａの長さ方向へ延びる軸線は、前記固定面３２ａ上に位置する面に対し直交している。
【００２２】
図３（ａ）に示すように、前記終端側万力台３２と、カムシャフト３５との間には、側面視略クランク状及び正面視四角形状をなす可動把持体３６が配置され、この可動把持体３６は終端側万力台３２及びカムシャフト３５の延びる方向全体に亘って配置されている。そして、可動把持体３６は版把持装置３０を構成している。図３（ｂ）に示すように、この可動把持体３６は、同可動把持体３６の基端部の両側面に固定された支軸３７が、前記長孔３４ａに挿通支持されることにより、固定把持体３１に取付支持されている。そして、可動把持体３６は前記支軸３７を回動中心として回動可能に構成されているとともに、長孔３４ａの長さ方向へ移動可能に構成されている。
【００２３】
前記可動把持体３６の基端において、同可動把持体３６の長さ方向における両側には、摺接部としての摺接板３６ａがそれぞれ軸受け３３側に向かって延設され、各摺接板３６ａは、それぞれカムシャフト３５の近傍位置であり、第２平面部３５ｂの近傍位置に配置されている。また、可動把持体３６の側面において、前記摺接板３６ａより先端側には、収容凹部３６ｄが凹設されている。可動把持体３６の先端には板状をなすくわえ板３６ｂが一体的に設けられ、同くわえ板３６ｂは、前記摺接板３６ａと相反する方向へ延びている。図３（ａ）に示すように、このくわえ板３６ｂにおいて、前記固定面３２ａに臨む面には把持面３６ｃが形成され、同把持面３６ｃは粗面加工が施されている。そして、図５（ａ）、（ｂ）に示すように、この把持面３６ｃと前記固定面３２ａとの間に刷版１４の終端部１４ｂを挟み込んで把持するようになっている。
【００２４】
上記構成の可動把持体３６の終端側万力台３２側の側面には、前記第１押圧部材Ｐ１の頭部が常に当接し、同第１押圧部材Ｐ１の押圧によって、くわえ板３６ｂが固定面３２ａから離れる方向へ回動するように可動把持体３６が付勢されている。また、可動把持体３６の基端面には、前記第２押圧部材Ｐ２の先端が当接可能となっており、同第２押圧部材Ｐ２が可動把持体３６に当接したときは、第２押圧部材Ｐ２によって、くわえ板３６ｂが固定面３２ａから離れる方向へ可動把持体３６が移動するように付勢されている。さらに、可動把持体３６が回動している途中段階から前記規制部材３２ｄが可動把持体３６の側面に当接するようになっている。
【００２５】
そして、図３（ａ）、（ｂ）に示すように、可動把持体３６の把持面３６ｃ側が終端側万力台３２から離れ、くわえ板３６ｂと固定面３２ａとの間に、刷版１４の終端部１４ｂを挿入可能とする空間が形成された位置を、可動把持体３６の基準位置とする。一方、図５（ａ）、（ｂ）に示すように、前記基準位置にある可動把持体３６が終端側万力台３２側へ回動し、さらに、長孔３４ａに沿って移動してくわえ板３６ｂと固定面３２ａとが面接触する位置を、可動把持体３６の把持位置とする。上記構成の版把持装置３０は、可動把持体３６が前記基準位置と把持位置との二位置に配置されることにより、刷版１４の終端部１４ｂを開放又は把持するようになっている。
【００２６】
次に、版把持装置３０による刷版１４の終端部１４ｂの把持について説明する。まず、版胴１３への刷版１４の巻装時には、刷版１４の始端部１４ａが版胴１３に向かって導入されると、同始端部１４ａが始端側万力台２１とくわえ板２２との間に挟み込まれ、始端側把持機構２０によって始端部１４ａが版胴１３に固定される。次いで、版胴１３が回転して同版胴１３に刷版１４が巻装され、さらに、終端部１４ｂが胴溝１３ａ内に導入される。
【００２７】
図３（ａ）、（ｂ）に示すように、可動把持体３６が前記基準位置に配置された状態において、可動把持体３６は第２押圧部材Ｐ２により固定把持体３１から離れる方向へ押圧され、支軸３７が長孔３４ａ内の一端側の内周に当接して一定位置に位置決めされている。さらに、可動把持体３６はその先端側が第１押圧部材Ｐ１により軸受け３３側へ押圧されている。そして、図３（ａ）に破線に示すように、可動把持体３６の側面が第１平面部３５ａに当接するように傾倒した状態で配置されている。このとき、第２平面部３５ｂの一部が収容凹部３６ｄ内に収容され、第２平面部３５ｂが可動把持体３６の側面に接触しないようになっている。
【００２８】
胴溝１３ａ内に導入された終端部１４ｂは、把持面３６ｃと固定面３２ａとの間の挿入空間に挿入される。このとき、基準位置にある可動把持体３６は、支軸３７が長孔３４ａの一端側に位置し、把持面３６ｃが固定面３２ａから大きく離れている。そのため、支軸３７が長孔３４ａに支持されず一定位置で回動するように構成されている場合と異なり、挿入空間を広く確保することができる。従って、終端部１４ｂを挿入空間に余裕を持って挿入することができ、終端部１４ｂを固定面３２ａに密着するように挿入空間内に挿入する必要がなくなる。
【００２９】
さて、刷版１４の終端部１４ｂを把持面３６ｃと固定面３２ａとの間で把持するには、図示しない駆動機構によって、カムシャフト３５を正方向へ回転させると、第１平面部３５ａによって可動把持体３６が終端側万力台３２側へ押圧される。さらに、第１平面部３５ａの端縁が可動把持体３６の側面に摺接していく。すると、可動把持体３６がその側面側から終端側万力台３２側へ押圧され、第１平面部３５ａを形成する面と、可動把持体３６の側面との間に形成される角度が徐々に広がっていく。なお、このとき、第２平面部３５ｂを形成する面は、摺接板３６ａと離間している。また、カムシャフト３５が回転するに連れて、収容凹部３６ｄ内に収容されていた第２平面部３５ｂの一部が徐々に収容凹部３６ｄの外側に露出してくる。
【００３０】
すると、図４（ａ）、（ｂ）に示すように、可動把持体３６が、巻バネＳの付勢力に抗して第１押圧部材Ｐ１を終端側万力台３２内へ押圧するとともに、第２押圧部材Ｐ２を押圧しながら、支軸３７を回動中心として回動する。その結果、把持面３６ｃが固定面３２ａの斜め外方から同固定面３２ａに徐々に近づいていき、前記挿入空間を狭めていく。そして、第１押圧部材Ｐ１が終端側万力台３２内に収容されると第１押圧部材Ｐ１の頭部と、規制部材３２ｄとにより、可動把持体３６と終端側万力台３２の側面との間に一定の隙間が形成された状態が維持されるとともに、可動把持体３６のそれ以上の回動が規制される。その結果、把持面３６ｃと固定面３２ａとが平行となるまで可動把持体３６が回動し、同平行状態が維持される。また、可動把持体３６が回動することにより、摺接板３６ａがカムシャフト３５に近づいていき、第２平面部３５ｂが摺接板３６ａに接触する。
【００３１】
そして、さらにカムシャフト３５が正方向へ回転すると、第１平面部３５ａに代わり、第２平面部３５ｂが各摺接板３６ａに摺接する。なお、第１平面部３５ａに連なる周面が可動把持体３６の側面に摺接して、可動把持体３６を終端側万力台３２側へ押圧し続ける。図５（ａ）、（ｂ）に示すように、カムシャフト３５の回転により、摺接板３６ａに摺接する位置と、カムシャフト３５の中心点との間の距離は、徐々に長くなり、各摺接板３６ａが第２平面部３５ｂにより固定把持体３１の底側に向かって徐々に押圧されていく。
【００３２】
すると、可動把持体３６が第２押圧部材Ｐ２の付勢力に抗して同第２押圧部材Ｐ２を固定把持体３１底側へ押圧しながら、長孔３４ａの軸線の延びる方向に沿って固定把持体３１の底側へ移動する。このとき、長孔３４ａの軸線は直線状をなし、固定面３２ａ上の面と直交するため、長孔３４ａに支軸３７が案内されると、可動把持体３６は把持面３６ｃが固定面３２ａに対して平行を維持したまま移動する。その結果、可動把持体３６が把持位置に配置され、把持面３６ｃと固定面３２ａとの間に刷版１４の終端部１４ｂが挟み込まれるとともに、版把持装置３０により終端部１４ｂが把持される。このとき、把持面３６ｃは、終端部１４ｂに対して斜め方向から被さるように移動するのではなく、終端部１４ｂに向かって真っ直ぐに移動し、把持面３６ｃが終端部１４ｂに対して平行をなすまま移動する。そのため、把持面３６ｃは、終端部１４ｂを斜め方向へ押し出す方向に対し交差する方向へ移動して固定面３２ａとともに、終端部１４ｂを把持する。
【００３３】
一方、図５（ａ）、（ｂ）に示すように、前記把持位置にある可動把持体３６を基準位置にまで作動させて、版把持装置３０によって把持された終端部１４ｂを開放するには、まず、カムシャフト３５を前記正方向とは反対の逆方向へ駆動機構によって回転させる。すると、第２平面部３５ｂが摺接板３６ａに摺接する位置と、カムシャフト３５の中心点との間の距離は、徐々に短くなっていく。第２押圧部材Ｐ２の付勢力によって可動把持体３６は終端側万力台３２の底側から押圧されているため、前記距離が短くなるに伴い可動把持体３６は、長孔３４ａの延びる方向に沿って徐々に押し出されていく。その結果、図４（ａ）、（ｂ）に示すように、把持面３６ｃが固定面３２ａに対して平行状態を維持しながら長孔３４ａの長さ分だけ離れていき、刷版１４の終端部１４ｂに対する把持面３６ｃと固定面３２ａとの挟持が解除され、刷版１４の終端部１４ｂが版把持装置３０から開放される。
【００３４】
さらに、カムシャフト３５が逆方向へ回転すると、可動把持体３６に接触している第１平面部３５ａの端縁が、終端側万力台３２側から軸受け３３側へ向かって徐々に移動していく。また、可動把持体３６は、第１押圧部材Ｐ１により軸受け３３側へ押圧されているため、可動把持体３６は支軸３７を回動中心として回動し、徐々に傾倒していく。そして、図３（ａ）、（ｂ）に示すように、第１平面部３５ａを形成する面全体に可動把持体３６の側面が面接触するまで可動把持体３６が傾倒すると、同可動把持体３６は前記基準位置に配置される。
【００３５】
上記実施形態の版把持装置３０によれば、以下のような効果を得ることができる。
（１）基準位置にある可動把持体３６が、支軸３７を回動中心として回動した後、長孔３４ａの延びる方向に沿って移動することにより、把持面３６ｃと固定面３２ａとより刷版１４の終端部１４ｂが把持される。そのため、刷版１４の終端部１４ｂに対して斜め外方から把持面３６ｃが被さるのみで終端部１４ｂを把持するのではなく、把持面３６ｃが終端部１４ｂに対して被さる方向と交差する方向へ移動し、同方向から固定面３２ａとともに終端部１４ｂを把持する。従って、終端部１４ｂが版胴１３内から外へ押し出されたまま固定されることがなく、固定面３２ａと把持面３６ｃとの間で終端部１４ｂを確実に把持して版胴１３に固定することができる。
【００３６】
（２）基準位置にある可動把持体３６は、把持位置にある場合と比較して長孔３４ａの長さ分だけ終端側万力台３２から離れた位置にある。そのため、長孔３４ａが形成されず、可動把持体３６を把持位置で回動させるだけの構成とした場合と異なり、把持面３６ｃと固定面３２ａとの間の挿入空間を広く確保することができる。従って、終端部１４ｂを挿入空間内に容易に挿入することができ、また、終端部１４ｂが固定面３２ａに密着するように挿入空間に挿入されていなくても、把持面３６ｃにより終端部１４ｂを外方へ押し出すことなく固定面３２ａとの間に把持することができる。
【００３７】
（３）把持面３６ｃは粗面に加工されているため、凹凸状をなし、固定面３２ａとより終端部１４ｂを把持したとき、同終端部１４ｂが固定面３２ａと把持面３６ｃとの間から容易に抜け出ることを防止することができる。
【００３８】
（４）カムシャフト３５には、第１平面部３５ａと第２平面部３５ｂとが形成され、第１平面部３５ａは可動把持体３６の側面に摺接し、第２平面部３５ｂは摺接板３６ａに摺接するように構成されている。そのため、第１平面部３５ａと第２平面部３５ｂの摺接による可動把持体３６の動作を、支軸３７を中心とした回動と、長孔３４ａに沿った移動とに分けることができる。
【００３９】
（５）第１平面部３５ａと第２平面部３５ｂとは異なる平面上に位置しているため、第１平面部３５ａが可動把持体３６に摺接しているとき、第２平面部３５ｂが摺接板３６ａに摺接することがなく、可動把持体３６の動作を確実に分けることができる。
【００４０】
（６）第１平面部３５ａが可動把持体３６の傾倒を許容する位置までカムシャフト３５が逆回転していくと同時に、第１押圧部材Ｐ１により、可動把持体３６を終端側万力台３２から離れる方向へ押圧することができる。そのため、可動把持体３６を終端側万力台３２から離れる方向へ回動させることができ、把持面３６ｃと固定面３２ａとの間に、終端部１４ｂを挿入するための空間を大きく取ることができる。
【００４１】
（７）また、摺接板３６ａに摺接する第２平面部３５ｂの位置が変化するとともに、第２押圧部材Ｐ２により可動把持体３６を押し上げることができる。従って、把持面３６ｃを、固定面３２ａから離すことができ、終端部１４ｂの把持状態を解除することができる。
【００４２】
（８）可動把持体３６が長孔３４ａの長さ方向へ移動しているとき、可動把持体３６にはカムシャフト３５の周面が摺接しているため、可動把持体３６は終端側万力台３２側へ押圧される。このとき、規制部材３２ｄが可動把持体３６の基端側に当接するため、可動把持体３６の基端側が終端側万力台３２に近づくように可動把持体３６が回動するのを規制することができる。即ち、可動把持体３６を長孔３４ａに沿って真っ直ぐ下降させることができ、把持面３６ｃを固定面３２ａに対して平行な状態を維持することができる。
【００４３】
（９）摺接板３６ａは、可動把持体３６の側面及び長孔３４ａの軸線に対して直交するように延設されている。そのため、第２平面部３５ｂが摺接板３６ａに摺接し、可動把持体３６が固定把持体３１の底側へ押圧されたとき、その押圧する力は摺接板３６ａの延びる方向に対して直交し、長孔３４ａの延びる方向と同じとなる。従って、可動把持体３６を長孔３４ａに沿って確実に移動させることができ、把持面３６ｃが固定面３２ａに対して平行となる状態を維持することができる。
【００４４】
（１０）可動把持体３６の側面に収容凹部３６ｄを凹設した。そのため、第２平面部３５ｂが摺接板３６ａに摺接しているとき、第１平面部３５ａを収容して、第１平面部３５ａが可動把持体３６の側面に接触することを防止することができる。従って、第１及び第２平面部３５ａ，３５ｂが可動把持体３６に同時に摺接することを防止でき、カムシャフト３５の回動と、長孔３４ａに沿った移動とを確実に分けて作動させることができる。
【００４５】
なお、上記実施形態は以下のように変更してもよい。
・  第１押圧部材Ｐ１は、頭部と軸部とよりなる部材を巻バネＳにより付勢して形成したが、第１押圧部材Ｐ１を巻バネＳのみの構成とし、同巻バネＳにより可動把持体３６を押圧するように構成してもよい。また、第２押圧部材Ｐ２をピン体を巻バネにより付勢して構成してもよい。
【００４６】
・  実施形態では、複数の版把持装置３０を連結したが、単体の版把持装置３０を版胴１３内に設けてもよい。
・  実施形態では、刷版１４の終端部１４ｂを版胴１３に固定するために版把持装置３０を用いたが、刷版１４の始端部１４ａを版胴１３に固定するために、始端側把持機構２０の代わりに版把持装置３０を用いてもよい。即ち、版胴１３内に一対の版把持装置３０を設け、一方の版把持装置３０を刷版１４の始端部１４ａを把持するために使用し、他方の版把持装置３０を刷版１４の終端部１４ｂを把持するために使用してもよい。
【００４７】
・  刷版１４の始端部１４ａを版胴１３に固定するために版把持装置３０を用い、終端部１４ｂを版胴１３に固定するために始端側把持機構２０と同様の構成を用いてもよい。
次に、上記実施形態及び別例から把握できる技術的思想について、それらの効果とともに以下に追記する。
【００４８】
（１）前記第１平面部は、可動把持体の側面に摺接し、前記第２平面部は、可動把持体の側面から延設された摺接板に摺接するとともに、前記第１平面部が可動把持体の側面に摺接している状態で、第２平面部の一部を収容する収容凹部が可動把持体の側面に凹設されていることを特徴とする請求項２に記載の印刷機における版把持装置。このように構成した場合、第１平面部の可動把持体に対する摺接により、可動把持体の回動という動作のみ可能とし、第２平面部の摺接板に対する摺接により、可動把持体の長孔に沿った移動のみを可能とすることができる。
【図面の簡単な説明】
【００４９】
【図１】実施形態の印刷機内を示す模式図。
【図２】実施形態の版胴を示す部分斜視図。
【図３】（ａ）は基準位置にある可動把持体を示す部分断面図、（ｂ）は基準位置にある可動把持体を示す側面図。
【図４】（ａ）は把持面が固定面に対し平行となるまで回動した可動把持体を示す部分断面図、（ｂ）は把持面が固定面に対し平行となるまで回動した可動把持体を示す側面図。
【図５】（ａ）は把持位置にある可動把持体を示す部分断面図、（ｂ）は把持位置にある可動把持体を示す側面図。
【図６】従来の版把持装置を示す部分側面図。
【符号の説明】
【００５０】
Ｐ１…第１押圧部材、Ｐ２…第２押圧部材、１１…印刷機、１３…版胴、１４…刷版、１４ａ…刷版の端部としての始端部、１４ｂ…刷版の端部としての終端部、３０…版把持装置、３１…固定把持体、３２ａ…固定面、３２ｄ…規制部材、３４ａ…長孔、３５…カムシャフト、３５ａ…第１平面部、３５ｂ…第２平面部、３６…可動把持体、３６ａ…摺接部としての摺接板、３６ｃ…把持面、３７…支軸。
【図１】
2005088433.tif 000003
【図２】
2005088433.tif 000004
【図３】
2005088433.tif 000005
【図４】
2005088433.tif 000006
【図５】
2005088433.tif 000007
【図６】
2005088433.tif 000008